(57)【特許請求の範囲】
【請求項１】
被印刷媒体を操り出し、前記繰り出された被印刷媒体を印刷するプリンタ手段、および前記プリンタ手段の下流側に配置され、印刷された被印刷媒体を切断する切断手段を備えるプリンタ装置において、
前記プリンタ手段の上方に位置し、所定の電荷を生成して空気を帯電させるイオン発生手段と、
前記イオン発生手段により帯電させた空気を送風する送風手段と、
前記送風手段により送風され帯電させた空気の出力、方向を定めて送風する送風ノズルと、を備え、
前記送風ノズルは、前記送風手段により送風され帯電させた空気を、前記プリンタ手段、前記プリンタ手段により印刷がなされる被印刷媒体の上面、および前記上面に沿いながら前記切断手段に向けて一連的に送風する
ことを特徴とするプリンタ装置。
【請求項２】
前記イオン発生手段、前記送風手段および前記送風ノズルを備える除電手段は、プリンタ装置本体に対して取付角度が調節可能である
ことを特徴とする請求項１にプリンタ装置。
【請求項３】
前記送風ノズルは複数個設けられ、それぞれの送風ノズルは、独立して出力、送風方向が調節可能である
ことを特徴とする請求項１にプリンタ装置。
【請求項４】
請求項１から請求項３の何れかに記載のプリンタ装置と、プリンタ装置の被印刷媒体の繰り出し方向下流に配置され、前記プリンタ装置より発行される被印刷媒体を被包装物の外周に巻回して包装を行う包装手段と、を備え、
前記送風ノズルにより送風された空気の一部は、印刷がなされた後の被印刷媒体の上面に沿って包装手段の位置に亘って流れる
ことを特徴とする包装装置。
【発明の詳細な説明】
【技術分野】
【０００１】
本発明は、例えば、巻回した透明な樹脂フィルムを引き出しながら印刷するプリンタ装置及びそのプリンタ装置を備える包装装置に関する。
【背景技術】
【０００２】
近年、コンビニエンスストア等では、お弁当等の外周に透明な帯状の樹脂フィルムを巻き付けて販売することがされており、そのために、巻回した透明な樹脂製のフィルムを引き出しながら印字を施し、帯状のフィルムに切断して枚葉状とし、該枚葉状に切断されたフィルムをお弁当等の外周に巻き付けて包装を行う帯巻き包装装置が用いられている。
前記帯巻き包装装置のような樹脂製のフィルムに対して印字を施すプリンタ装置を含め、プリンタ装置は、フィルムの搬送やプリント時に被印刷媒体に静電気が生じてしまい、この静電気を取り除くことをしなければ、被印刷媒体がプリンタ装置から分離せず、切断手段等に送ることが困難となったり、あるいは、切断手段にフォルムがくっついてしまったり、次工程の包装手段が被印刷媒体を商品に巻き付ける際にも、包装手段がフィルムを正しく受け取れなかったり、あるいは、包装手段の想定外の箇所にフォルムがくっついてしまい、正しく巻き付けることができない可能性があった。
また、被印刷媒体に印字を施すプリンタ部にもプリント時等に発生した静電気が帯電して、プリンタ部の印字やプリンタ部そのものにも悪影響を及ぼし、更には、帯電した静電気よって周囲の塵や埃を引き寄せてしまうという可能性があった。
そのため、従来の装置では、プリンタ部に対して、プリント時に生じる静電気を除電するための除電装置が開発されており、印字ユニットを通過した被印刷媒体に対して除電ブラシを接触させるなどして、被印刷媒体の静電気を除電するプリンタ装置が知られていた。（特許文献１）
【先行技術文献】
【特許文献】
【０００３】
【特許文献１】特開２０１１−３７１５２号公報
【発明の概要】
【発明が解決しようとする課題】
【０００４】
しかしながら、特許文献１に記載されたプリンタ装置では、除電手段として、被印刷媒体に対して直接接触する除電ブラシが採用されているために、除電ブラシ自体が摩擦などにより摩耗してしまい、定期的な交換作業と行ったメンテナンスが必要であり、メンテナンスを怠ると除電効率が悪くなり、帯電した静電気による様々な不具合を生じさせるという問題があった。さらに、上記包装装置に用いられるような、樹脂フィルムに対して除電ブラシ等を用いると、フィルムの裏面に設けられた糊面等に除電ブラシが絡んでしまったり、フィルム表面等を傷付けてしまったりするなどの危険性があり、装置内に塵や埃などを発生させて撒き散らかす可能性もあった。
【０００５】
また、印刷ユニットを通過した後の被印刷媒体だけを除電しても、プリンタ装置の各所に発生する静電気を完全に取り除くことはできず、完全に取り除くためにプリンタ装置自体に除電手段を配置させることは、経済的な面から見て好ましくなく、また、制御が煩雑になるという問題があり、装置自体も大型化するという問題もあった。
【０００６】
本発明は、これらの問題に鑑みてなされたものであって、プリンタ装置及び該プリンタ装置により印刷された被印刷媒体に発生する静電気を、経済的でかつ効率的に除電を行うことにより、正しく印刷された被印刷媒体で次工程において物品を正しく包装させることができるプリンタ装置及びそのプリンタ装置を備える包装装置を提供することを目的とする。
【課題を解決するための手段】
【０００７】
上記の目的を達成するために、本発明は、被印刷媒体を操り出し、前記繰り出された被印刷媒体を印刷するプリンタ手段、および前記プリンタ手段の下流側に配置され、印刷された被印刷媒体を切断する切断手段を備えるプリンタ装置において、前記プリンタ手段の上方に位置し、所定の電荷を生成して空気を帯電させるイオン発生手段と、前記イオン発生手段により帯電させた空気を送風する送風手段と、前記送風手段により送風され帯電させた空気の出力、方向を定めて送風する送風ノズルと、を備え、前記送風ノズルは、前記送風手段により送風され帯電させた空気を、前記プリンタ手段、前記プリンタ手段により印刷がなされる被印刷媒体の上面、および前記上面に沿いながら前記切断手段に向けて一連的に送風することを特徴とする。
【発明の効果】
【０００８】
本発明によれば、プリンタ装置の除電手段として、イオン発生手段により帯電させた空気を、送風ノズルにより、広い範囲に対して送風して除電を行うことができるので、印字部、被印字媒体、切断手段の静電気を一遍に除電することができ、経済的かつ効果的であり、除電装置を複数箇所に配置する必要がないので装置を小型化できる。
また、イオン発生手段により帯電させた空気を送風により除電対象箇所に送ることができるので、除電装置が直接被印刷媒体に接触することがなく、除電ローラや除電ブラシ等のように摩耗しない。さらに、ミシン目のついた被印刷媒体のミシン目を傷付けるなどの破損を防止でき、次工程において物品を被印刷媒体で正しく包装させることができる。
【図面の簡単な説明】
【０００９】
【図１】本発明の実施形態に係る包装装置の正面図である。
【図２】本発明の実施形態に係るプリンタ装置及び包装装置に用いられる帯状の被印刷媒体の一例を示す全体図である。
【図３】本発明の実施形態に係るプリンタ装置の、被印刷媒体がフィルムロールから切断手段に至る経路を説明するための正面図である。
【図４】本発明の実施形態に係るプリンタ装置により、被印刷媒体に印刷をしている状態を示すプリンタ装置の正面図である。
【図５】本発明の実施形態に係るプリンタ装置の側面図である。
【図６】本発明の実施形態に係るプリンタ装置の位置決め部品の図であり、（ａ）は、正面図、（ｂ）は側面図である。
【発明を実施するための形態】
【００１０】
本発明の実施形態のプリンタ装置及びそのプリンタ装置を備える包装装置について図面を参考に説明する。
（包装装置全体の構成）
本発明の実施形態に係る包装装置は、図１に示すように、予めマークが施された帯状の被印刷媒体１が巻回されてなるフィルムロールＲから帯状の被印刷媒体１を繰り出し、プリンタ手段３に導く被印刷媒体繰出手段２と、繰り出された帯状の被印刷媒体１に対して、印刷を行うプリンタ手段３と、プリンタ手段３によって印刷された被印刷媒体１を枚葉状に切断する切断手段４と、切断手段４により枚葉状となった被印刷媒体１をコンベアベルト５１により搬送される被包装物Ｘの外周に巻回する包装手段５２と、プリンタ手段３に対する命令を入力するプリンタ部入力手段５３と、プリンタ部入力手段５３により入力されたプリンタ情報に基づいて、プリンタ手段３の制御を行うプリンタ制御部５４とを、備えている。前述の包装装置の外観は、装置内に配置させた被印刷媒体繰出手段２、プリンタ手段３、切断手段４、コンベアベルト５１、包装手段５２等を装置四隅に設けた支柱に沿った四方および上下を透明または不透明の外壁で囲むことにより密封閉鎖し装置外部からの塵や埃の侵入を防ぐ構造になっている。
【００１１】
そして、プリンタ手段３に対して切断手段４が、被印刷媒体１の斜め下方に配置されており、さらに、切断手段４の下方位置に包装手段５２が配置されており、比較的高い位置に配置されたプリンタ手段３から比較的低い位置に配置された包装手段５２まで、斜め下方に向かう被印刷媒体１の繰り出し経路が形成されている。
また、被印刷媒体１の搬送経路の適宜位置には、搬送する前記被印刷媒体１の位置決めを行うための基準標７（図５）が設けられている。
【００１２】
上記のような包装装置において、作業者が、コンベアベルト５１の上流（図１において、左側）に被包装物Ｘを載置することにより、被包装物Ｘは、コンベアベルト５１上を下流（図１において、右側）に搬送される間に、包装手段５２によってその外周に枚葉状の被印刷媒体１が巻回して包装され、コンベアベルト５１の下流側に搬送されるものである。
以下、本発明の実施形態のプリンタ装置及び包装装置の構成について、図を示しながら、詳細に説明する。
なお、本発明の実施形態の説明において、「幅」とは、帯状の被印刷媒体１の搬送方向と直交する方向の寸方をいい、「長さ」とは、搬送方向の寸法をいう。
【００１３】
（被印刷媒体の構成）
包装装置について説明するに先立って、本発明の実施形態に係るプリンタ装置及び包装装置に用いられる被印刷媒体１について説明する。
被印刷媒体１は、帯状の透明もしくは半透明な樹脂フィルムにより形成されている。そして、図２に示すように、該樹脂フィルムには、繰り出し方向に所定間隔でミシン目等の切断部１１が形成されており、切断部１１によって分割される各枚葉状部毎に、その幅方向中央位置には、例えば、フィルムにより包装する商品を販売する店舗のロゴマーク等を印刷した位置合わせマーク（マーク）１２が予め設けられている。
【００１４】
さらに、帯状の被印刷媒体１の幅方向両端部近傍には、切断部１１に沿って枚葉状に切断されたフィルムを被包装物Ｘに巻回する際に端部同士を接着するための糊面１３が形成されており、前記位置合わせマーク１２と糊面１３との間を印刷領域１４として構成している。
帯状の被印刷媒体１の使用可能領域の最後には、被印刷媒体１のエンドを示すエンドシールが添付されている。
なお、上記説明において、被印刷媒体１は、全面が透明もしくは半透明なフィルムとして説明しているが、一部が透明もしくは半透明であって、位置合わせマーク１２の下方に位置する後述する基準標７がフィルムの表面側から視認できればよく、必ずしも全面が透明もしくは半透明なフィルムでなくてもよい。
【００１５】
（被印刷媒体繰出手段の構成）
被印刷媒体繰出手段２は、図３に示すように、搬送装置のフレームに固定されたフィルムロール支持壁２１に、フィルムロールＲを回転自在に支持するフィルムロール支持軸２２、及び、フィルムロールＲから繰り出される被印刷媒体１を、テンションを付与しながらプリンタ手段３に導く３つのフィルムターンローラ２３，２４，２５が設けられて形成されている。なお、被印刷媒体繰出手段２によりフィルムを繰り出して次工程に供給しているが、装置内でフィルムを繰り出す際に塵や埃を発生させしてしまう可能性があった。
【００１６】
（プリンタ手段の構成）
プリンタ手段３は、図４，５に示すように、搬送装置のフレームに固定された基台３１と、基台３１から立ち上がる左、右フレーム３２ａ、３２ｂと、左、右フレーム３２ａ，３２ｂ間に配置されるプラテンローラ３３と、プラテンローラ３３の上方位置に対向して配置され、付勢手段３４によってプラテンローラ３３に対して当接している左右２つのサーマルヘッド３５ａ，３５ｂとを備えており、プラテンローラ３３とサーマルヘッド３５ａ，３５ｂとの間を通過する被印刷媒体１の印刷領域１４に対して印刷を行う。
プリンタ手段３の左フレーム３２ａの外面には、プリンタ装置（及び包装装置）の電源が入っていることを示す表示手段３６、及び、サーマルヘッド３５ａ、３５ｂを付勢手段３４に抗してプラテンローラ３３から離脱させる操作を行うためのハンドル３７が配置されている。なお、プリンタ手段３に静電気等が帯電すると、装置内の塵や埃を呼び寄せ付着させてしまい印刷に悪影響を及ぼす可能性がある。
【００１７】
（切断手段の構成）
図３に示すように、被印刷媒体１の搬送経路上のプリンタ手段３の下流側の下方には、プリンタ手段３により印刷された帯状の被印刷媒体１を所定間隔で切断する切断手段４が配置されている。切断手段４は、本体部４１と、本体部４１の上面を開閉自在にカバーするカバー部材４２とにより構成され、本体部４１には搬送経路の下に位置する下ローラ４３ａ，４３ｂが設けられ、カバー部材４２には被印刷媒体１の搬送経路の上に位置する上ローラ４３ｃ，４３ｄが設けられている。また、切断手段４の組み付け位置は、プリンタ手段３で印刷された切断前の連続した被印刷媒体１が所定枚数分（例えば切断後に３枚分の帯フィルムになる分）を離した所定の間隔を持って組み付けられており、この切断手段４を離して組み付ける理由は、帯巻包装する被包装物に対応する帯フィルムにプリンタ手段３が先行して印刷を行い、次工程の包装手段５２で被包装物を高速で効率よく帯巻包装できるようにするためである。なお、切断手段４に静電気等が帯電することにより、装置内の塵や埃を呼び寄せ付着してしまい切断動作に悪影響を及ぼす可能性がある。
【００１８】
下ローラ４３ａ，４３ｂと上ローラ４３ｃ，４３ｄにより、送り機構が構成されて、下ローラ４３ａ，４３ｂと上ローラ４３ｃ，４３ｄとで搬送経路中の被印刷媒体１を挟み込んで搬送している。
本体部４１の送り機構の下方位置には、カッタ刃４４が配置されており、送り機構の下ローラ４３ａと下ローラ４３ｂの間から、上ローラ４３ｃと上ローラ４３ｄとの間にカッタ刃４４を突出させることにより、搬送された被印刷媒体１を、切断部１１において押切りして枚葉状の巻き帯を作成している。
【００１９】
（包装手段の構成）
図１に示すように、切断手段４のさらに下流側の下方には、包装手段５２が配置されている。包装手段５２は、切断手段４で切断された枚葉状の巻き帯の両端部を把持する把持部を備えており、包装手段５２の下方に搬送されてきた被包装物Ｘが所定の位置に停止すると、把持部が把持する枚葉状に切断されたフィルムをお弁当等の外周に巻き付け、被包装物Ｘの下方位置（底部）で、一方の枚葉状の巻き帯の端部を被包装物の底部に貼付した後、他方の枚葉状の巻き帯の端部を被包装物の底部に貼付して帯封を行う。その後、包装済みの被包装物は搬送手段（ベルトコンベア）５１により排出部へ搬送される。
【００２０】
以上の包装行程において、フィルムロールＲから繰り出された被印刷媒体１は、包装手段５２に繰り出される間にプリンタ手段３等を通過することで帯電してしまい、切断手段４にくっついたり、切断手段４で切断された枚葉状の巻き帯を包装手段５２の把持部により正しく把持できない、さらには、把持部に対してフォルムがくっついてしまい、お弁当等の外周に正しく巻き付けることができない可能性がある。また、包装手段５２に静電気等が帯電すると、装置内の塵や埃を呼び寄せ付着してしまい包装動作に悪影響を及ぼす可能性もあった。
そこで、本実施形態のプリンタ装置及び包装装置においては、搬送経路状の被印刷媒体１を傷つけることなく、また、搬送経路全体に亘って除電を行うための除電手段６が設けられている。
【００２１】
（除電手段の構成）
被印刷媒体１の除電を行うための除電手段６は、プリンタ手段３の被印刷媒体１の搬送方向下流面に固定された除電手段支持フレーム６ａにより支持されている。除電手段支持フレーム６ａは、プリンタ手段３の被印刷媒体１の搬送方向下流面から前方上方に向かって延びるように設けられており、前記除電手段支持フレーム６ａに対して、除電手段６が下方に向けて取付角度調節自在に支持されている。
除電手段６は、図５に示すように、所定の電荷を生成して、周囲の空気を帯電させるイオン発生手段６１と、イオン発生手段６１により帯電させた空気ａを送り出す送風手段６２と、送風手段６２により送り出される空気ａの送風方向を調節する送風ノズル６３とにより構成されており、送風ノズル６３は、除電手段６の幅方向に複数配置されている。
【００２２】
そして、送風ノズル６３は、下方やや被印刷媒体１の上流側に向けて配置されており、送風ノズル６３により送り出された帯電した空気ａの中心はプラテンローラ３３近傍の被印刷媒体１の上面に向かい、空気ａの一部が被印刷媒体１の上面に沿って被印刷媒体１の繰り出し方向に流れることとなる。さらにいえば、送風ノズル６３から送風される空気ａを送風する位置は、プリンタ手段３とプリンタ手段３で印刷された切断前の連続した所定枚数分（例えば切断後に３枚分の帯フィルムになる分）の被印刷媒体１に向けて送風するようになっている。プリンタ手段３と該プリンタ手段３の下流位置に配置させた下方の切断手段４との間に位置する切断前の被印刷媒体１は切断手段４への繰り出し方向下方に傾斜しているため、空気ａは、この傾斜した切断前の連続した所定枚数分の被印刷媒体１の上面に沿って下流側へ効率よく流れて行くことになる。また、送風ノズル６３からの送風方向は、被印刷媒体１の搬送方向と直交する被印刷媒体１の幅方向略中心を挟んだ左右それぞれ送風方向を異なる方向に送風できるように調整可能になっている。例えば、被印刷媒体１の幅方向略中心の右側は、被印刷媒体１の中心から右方向で且つ下流方向に向かって送風し、左側は、被印刷媒体１の中心から左方向で且つ下流方向に向かって送風させるようにしてもよい。さらに、包装装置の鉛直方向下方の外壁には、装置内部の空気を装置外部へ排出する排出ファンを備えており、除電手段６から送風され被印刷媒体１の上面に沿って流れてきた空気ａを装置外部へ排出する仕組みになっている。なお、包装装置の鉛直方向下方の外壁に設けた送風ファンに代えて外壁そのものに所定形状の開口部（排出口）を設け装置内部と外部とを連通させ、空気ａを装置外部へ排出するようにしてもよい。この空気ａを排出する構造（排出ファンまたは排出口）によって除電後の使用済みの空気ａと空気ａとともに送風にされる塵や埃等を効率よく装置外部へ排出することができるので装置内部をクリーン（衛生的）な状態に保つことができ、更に、除電手段６から送風される空気ａの気流（空気ａの流れる方向）を作ることができ、空気ａがプリンタ手段３、切断手段４、包装手段５２等を経由させる気流（空気の流れ）を作り、空気ａとともに塵や埃等を装置外へ排出することができる。
【００２３】
ここで、本実施形態の包装装置においては、上述のとおり、プリンタ手段３に対して切断手段４が、被印刷媒体１の斜め下方位置に配置されており、さらに、切断手段４の斜め下方位置に包装手段５２が配置されて、全体として斜め下方に向かう被印刷媒体１の繰り出し経路が形成されているので、前記送風手段により送風された帯電させた空気ａの一部は、印刷がなされた後の被印刷媒体１の上面に沿って、繰り出し方向下流に向かってスムーズに且つ効率的に流れることとなる。
【００２４】
これにより、除電手段６によって送り出される帯電させた空気ａは、帯電原因となるプリンタ手段３を中心に、被印刷媒体１の上面に沿って流れ、被印刷媒体１の繰り出し方向下流側にある切断手段や包装手段等の各手段にスムーズに到達して全体を除電することができるとともに、プリンタ手段３あるいは被印刷媒体１に付着した塵や埃を除去することができ、プリンタ手段３の下流に位置する切断手段４、包装手段５２に付着した塵や埃も除去することができる。
さらに、プリンタ手段３、切断手段４、包装手段５２をそれぞれが勾配を付けて配置させたので装置の幅方向の長さを短くする事ができ、装置自体のサイズをコンパクトにすることができるという効果も奏する。
【００２５】
なお、除電手段支持フレーム６ａに対する除電手段６の取付角度、もしくは、送風ノズル６３の向きを調節することにより、除電手段６により吹き付けられる帯電した空気ａが送風される範囲を調節することができる。
また、送風手段６２の出力を調節自在としたり、送風ノズル６３の開口寸法を変更することにより、空気ａの到達範囲を調節することができる。また、送風手段６２の出力を強弱調節することにより空気ａの到達範囲を調節することも可能である。なお、送風ノズル６３の開口寸法の変更は、送風ノズル６３を時計回り回転させると開口が絞られる（縮小）、あるいは、反時計回りに回転させると開口が開放（拡大）される等の方法で開口寸法を変える、あるいは、送風ノズル６３を反送風方向に押し込むと開口が絞られ、反対に送風方向に引き出すと開口が開放される等の方法で開口寸法を変更するなど何れの方法でもよい。
【００２６】
さらに、除電手段６の幅方向に複数設けられた送風ノズル６３をそれぞれ独立して向き等を調節できるように構成することにより、プリンタ手段３の上方に配置した除電手段６によって、プリンタ手段３から切断手段４までの間および切断手段４、さらには包装手段５２等の包装装置の広い範囲に亘って除電を行うことも可能である。
なお、本実施例においては、除電手段６によって送風される帯電された空気ａは、プリンタ手段３の特にサーマルヘッド３５ａ，３５ｂ及びプラテンローラ３３の位置にある被印刷媒体１の上面を中心に、被印刷媒体１の上面に沿って搬送範囲の幅全体に広がり、後述する切断手段４までの範囲に行き届くように、その帯電強度、送風強度、送風向きを調節して、プリンタ装置、切断手段、及び、その間の被印刷媒体１の除電、および包装手段５２の除電を可能としている。また、プリンタ部入力手段５３は表示部を備えており、除電手段６における各種設定情報の表示や設定操作が表示部で行えるようになっており、プリンタ部入力手段５３（コントローラ）に設定された各種設定によって除電手段６が制御される。
【００２７】
プリンタ部入力手段５３が備える表示部（表示手段）には、除電手段６におけるエラーが発生した場合にそのエラーの情報と対応方法を表示する。例えば、除電手段６が停止している、あるいは、動作はしているが発生させるイオンレベルが警報レベルである場合にそのレベル情報と対応方法（操作方法）等を含めたエラーの表示、または、除電手段６が清掃すべき段階である場合には、コンディション警報と対応方法（操作方法）等を含めたエラーを表示するようになっている。さらに、プリンタ部入力手段５３には図示していない読み取り装置（例えば、バーコードスキャナ）が接続されており、この読み取り装置を用いて除電手段６における各種設定情報をバーコードで印刷されたパラメータ設定シートより読み込み設定させることもできるようになっている。
【００２８】
（基準標の構成）
図５に示すように、被印刷媒体１の搬送経路であって、プラテンローラ３３の下流位置には、被印刷媒体１の幅方向の位置を調節するための基準標７がネジ等の固定手段ｇによって固定されている。基準標７は、例えばステンレス等の材料からなり、図６に示すように、プリンタ手段３に固定するためのネジ孔７１ａが形成された標固定部７１と、標固定部７１の上方に連続して搬送面と略平行に形成されるとともに、被印刷媒体１に予め施されたマーク１２と略同じ幅を有する標部７２とから構成されている。
基準標７の標部７２には、例えばシール等を貼ることにより、補助基準面７３が形成されている。補助基準面７３の幅は、基準標７の幅よりも幅の小さい規格のマーク１２の幅と同一に形成されており、基準標７の付け替えをすることなく、規格のことなる被印刷媒体１の位置決めに対応することができる。
そして、図４に示すように、被印刷媒体１の搬送経路上において、被印刷媒体１に予め施されたマーク１２が通過する位置に標部７２が対向するように基準標７が固定されている。
【００２９】
（検出手段の構成）
プリンタ手段３の被印刷媒体１の搬送経路上のプラテンローラ３３の上流位置には、被印刷媒体１を検出する検出手段８が設けられており、プリンタ手段３の搬送経路を搬送される被印刷媒体１に予め印刷されたマーク１２を検出することにより、被印刷媒体１の存否を検出している。
具体的には、被印刷媒体１には、所定間隔にてマーク１２が印刷されているので、搬送装置により被印刷媒体１を所定距離搬送したにも関わらず、検出手段８により、マーク１２が検出されない場合には、被印刷媒体１が破損等して正常に搬送されていないことを報知する。
また、被印刷媒体１の使用可能領域の最後に添付されたエンドシールを検出することにより、被印刷媒体１がすべて使用されたことを検出して、被印刷媒体１の交換を促す報知をする
【００３０】
（フィルムの交換方法）
検出手段８により、被印刷媒体１の終了、もしくは、破損が検出された場合の被印刷媒体１の交換もしくは再配置方法について説明する。
包装装置の電源を切り、表示手段３６が消灯していることを確認した上で、ハンドル３７を操作して、プラテンローラ３３からサーマルヘッド３５ａ，３５ｂを離間させるとともに、切断手段４のカバー部材４２を開いて送り機構４３を開放し、搬送経路中に被印刷媒体１が残存していれば取り除く。
フィルムロールＲを交換する場合には、新しいフィルムロールＲに交換して、被印刷媒体１を繰り出す。
【００３１】
図３の被印刷媒体１の搬送経路に示すように、フィルムロールＲから繰り出された被印刷媒体１をフィルムターンローラ２３，２４，２５に掛け回した後に、離間したプラテンローラ３３とサーマルヘッド３５ａ，３５ｂ間を通し、切断手段４の開放された送り機構４３に通す。
そして、基準標７の中央に被印刷媒体１のマーク１２の中央をあわせることにより、被印刷媒体１の位置合わせをおこなう。ここで、基準標７の標部７２の幅は、マーク１２の幅と略同一に形成されているので、被印刷媒体１を配置する使用者は、交換時に、被印刷媒体１の表面側から透明部又は半透明部を通してマーク１２の下方に位置する基準標７を視認して、マーク１２の幅と基準標７の標部７２の幅とが重なるようにフィルムロールＲから繰り出される被印刷媒体１の位置を調節することにより、被印刷媒体１の印刷領域１４を正確に配置することができる。
【００３２】
以上のように、本発明の実施形態においては、被印刷媒体１に接触することなく、被印刷媒体１はもちろん、プリンタ手段や切断手段の除電を行うことができるので、被印刷媒体を傷付けることなく、速やかに印刷処理を行うことができる。
特に、切断して枚葉状とする樹脂製のフィルム等の、取扱いが繊細な被印刷媒体を印刷するプリンタ装置に採用することにより、その効果は顕著である。
そして、プリンタ装置もしくは包装装置を構成するプリンタ手段、切断手段、包装手段を上方位置から斜め下方に向かって配置して、全体として斜め下方に向かう被印刷媒体１の繰り出し経路を形成するとともに、除電手段をプリンタ手段の上方位置に配置して、下方に向けて帯電した空気を送風するように構成し装置外部に排出するようにしたので、除電手段の送風手段により送風された帯電させた空気ａの一部は、印刷がなされた後の被印刷媒体１の上面に沿って、繰り出し方向下流に向かってスムーズに且つ効率的に流れて、プリンタ手段、切断手段、包装手段を除電することができ、プリンタ手段３の下流に位置する切断手段４、包装手段５２に付着した塵や埃も除去することができる。
【００３３】
なお、本発明の上記実施形態においては、マーク１２は、被印刷媒体１の幅方向中央部に施されていたが、マーク１２の位置は中央に限定されるものではなく、マーク１２として使用するロゴマークによっては、被印刷媒体１の幅方向いずれの位置に設けられることも考えられ、また、複数設けられることも考えられる。それにあわせて、基準標７を固定する位置や数を変更すればよい。
また、基準標７を固定する位置は、プリンタ手段３のプラテンローラ３３の上流に設けてもよく、また、上流と下流に複数設けてもよく、それによって、プラテンローラ３３を通過する被印刷媒体１をより正確に配置することができる。
さらに、上述した実施形態では、基準標７に対する補助基準面７３は、１つであったが、規格された全ての寸法に併せて複数重ねるように設けても良い。
【００３４】
本発明のプリンタ装置は、上記実施形態に限られるものではなく、どのような印刷方式であってもよい。また、プリンタ装置が配置される装置は、包装装置に限らず、ＰＯＳレジスタや発券機等であっても良い。また、除電装置を設置する位置は、プリンタ装置の上方に限るものではなく、被印刷媒体も透明もしくは半透明の樹脂フィルムに限られず、また、裏面が粘着面からなる用紙を巻回した被印刷媒体を用いても良い。
【符号の説明】
【００３５】
１          ：被印刷媒体
１１      ：切断部
１２      ：位置合わせマーク（マーク）
１３      ：糊面
１４      ：印刷領域
２          ：被印刷媒体繰出手段
３          ：プリンタ手段
４          ：切断手段
５１        ：コンベアベルト
５２        ：包装手段
５３        ：プリンタ部入力手段
５４        ：プリンタ制御部
６          ：除電手段
６ａ      ：除電手段支持フレーム
６１      ：イオン発生手段
６２      ：送風手段
６３      ：送風ノズル
７          ：基準標
Ｒ          ：フィルムロール
Ｘ          ：被包装物
【図１】
0006610164.tif 000002
【図２】
0006610164.tif 000003
【図３】
0006610164.tif 000004
【図４】
0006610164.tif 000005
【図５】
0006610164.tif 000006
【図６】
0006610164.tif 000007